【手続補正書】
【提出日】平成29年6月13日(2017.6.13)
【手続補正１】
【補正対象書類名】特許請求の範囲
【補正対象項目名】全文
【補正方法】変更
【補正の内容】
【特許請求の範囲】
【請求項１】
無線送信／受信ユニット（ＷＴＲＵ）であって、
複数の非ゼロ電力チャネル状態情報基準信号（ＣＳＩ−ＲＳ）リソースから１つまたは複数のＣＳＩ−ＲＳを受信し、
１つまたは複数のＣＳＩ−ＲＳ参照インジケータ（ＣＲＩ）の構成を受信する
よう少なくとも構成された受信機と、
前記複数の非ゼロ電力ＣＳＩ−ＲＳリソースから送信された前記ＣＳＩ−ＲＳに基づいて、前記複数の非ゼロ電力ＣＳＩ−ＲＳリソースの少なくとも１つのサブセットを決定し、
前記複数の非ゼロ電力ＣＳＩ−ＲＳリソースの前記少なくとも１つのサブセットに対する第１のＣＲＩを決定し、
前記少なくとも１つのサブセットの前記複数の非ゼロ電力ＣＳＩ−ＲＳリソースを測定し、
前記少なくとも１つのサブセットの前記複数の非ゼロ電力ＣＳＩ−ＲＳリソースに対するＣＳＩを生成し、前記生成されたＣＳＩは１つまたは複数の周期的ＣＳＩ報告を含んでいる
よう少なくとも構成されたプロセッサと、
報告インターバルの間に、前記ＷＴＲＵと通信をする１つまたは複数のノードへ、前記１つまたは複数の周期的ＣＳＩ報告を送信し、前記１つまたは複数の周期的ＣＳＩ報告は第１の周期および第１のサブフレームオフセットで送信されており、
前記報告インターバルの間に、少なくとも１度、前記ＷＴＲＵと通信をする前記１つまたは複数のノードへ、前記複数の非ゼロ電力ＣＳＩ−ＲＳリソースの前記少なくとも１つのサブセットに対する前記第１のＣＲＩを送信する
よう少なくとも構成された送信機と
を備えたことを特徴とするＷＴＲＵ。
【請求項２】
前記受信機は、前記ＷＴＲＵの物理層よりもより上位の１つまたは複数の論理層からシグナリングを経由して、前記ＣＲＩ構成を受信するようさらに構成されたことを特徴とする請求項１に記載のＷＴＲＵ。
【請求項３】
前記送信機は、前記１つまたは複数の周期的ＣＳＩ報告が、前記１つまたは複数の周期的ＣＳＩ報告のために指定されたサブフレームのセットの中で送信されるようさらに構成されたことを特徴とする請求項１に記載のＷＴＲＵ。
【請求項４】
前記送信機は、前記報告インターバルの間に、２回以上、前記第１のＣＲＩを送信し、前記第１のＣＲＩは対応する第２の周期および第２のサブフレームオフセットで送信されるようさらに構成されたことを特徴とする請求項１に記載のＷＴＲＵ。
【請求項５】
前記送信機は、前記第１の周期が前記第２の周期と同じであるように構成されたことを特徴とする請求項４に記載のＷＴＲＵ。
【請求項６】
前記送信機は、前記第１のサブフレームオフセットが前記第２のサブフレームオフセットと同じであるように構成されたことを特徴とする請求項４に記載のＷＴＲＵ。
【請求項７】
前記送信機は、少なくとも１つのサブフレームにおいて、前記１つまたは複数の周期的ＣＳＩ報告を送信し、前記少なくとも１つのサブフレームは、システムフレーム番号またはサブフレーム番号の少なくとも１つに少なくとも一部に基づいて決定されるようさらに構成されたことを特徴とする請求項１に記載のＷＴＲＵ。
【請求項８】
前記プロセッサは、前記少なくとも１つのサブセットの前記複数の非ゼロ電力ＣＳＩ−ＲＳリソースに対する参照信号受信電力（ＲＳＲＰ）または参照信号受信品質（ＲＳＲＱ）の少なくとも１つを測定するようさらに構成されたことを特徴とする請求項１に記載のＷＴＲＵ。
【請求項９】
前記プロセッサは、前記複数の非ゼロ電力ＣＳＩ−ＲＳリソースの前記少なくとも１つのサブセットに対する共通参照信号（ＣＲＳ）を測定するようさらに構成されたことを特徴とする請求項１に記載のＷＴＲＵ。
【請求項１０】
前記受信機は、ＣＳＩ−ＲＳ構成を受信し、前記ＣＳＩ−ＲＳ構成は、前記複数の非ゼロ電力ＣＳＩ−ＲＳリソースのリスト、または、前記複数の非ゼロ電力ＣＳＩ−ＲＳリソースの前記少なくとも１つのサブセットの表示の少なくとも１つを含むようさらに構成されたことを特徴とする請求項１に記載のＷＴＲＵ。
【請求項１１】
前記プロセッサは、前記少なくとも１つのサブセットの前記複数の非ゼロ電力ＣＳＩ−ＲＳリソースの前記測定が、前記複数の非ゼロ電力ＣＳＩ−ＲＳリソースの前記少なくとも１つのサブセットの中にある少なくとも１つのＣＳＩ−ＲＳリソースの品質よりもより良好となっている前記複数の非ゼロ電力ＣＳＩ−ＲＳリソースの前記少なくとも１つのサブセットの中にないＣＳＩ−ＲＳリソースの品質によってトリガされるようさらに構成されたことを特徴とする請求項１に記載のＷＴＲＵ。
【請求項１２】
前記ＣＲＩは、ビットマップまたはインデックスの順序付きリストの少なくとも１つを含むことを特徴とする請求項１に記載のＷＴＲＵ。
【請求項１３】
無線送信/受信ユニット（ＷＴＲＵ）によるチャネル状態情報（ＣＳＩ）を報告する方法において、
複数の非ゼロ電力チャネル状態情報基準信号（ＣＳＩ−ＲＳ）リソースから１つまたは複数のＣＳＩ−ＲＳを受信するステップと、
１つまたは複数のＣＳＩ−ＲＳ参照インジケータ（ＣＲＩ）の構成を受信するステップと、
前記複数の非ゼロ電力ＣＳＩ−ＲＳリソースから送信された前記ＣＳＩ−ＲＳに基づいて、前記複数の非ゼロ電力ＣＳＩ−ＲＳリソースの少なくとも１つのサブセットを決定するステップと、
前記複数の非ゼロ電力ＣＳＩ−ＲＳリソースの前記少なくとも１つのサブセットに対する第１のＣＲＩを決定するステップと、
前記少なくとも１つのサブセットの前記複数の非ゼロ電力ＣＳＩ−ＲＳリソースを測定するステップと、
前記少なくとも１つのサブセットの前記複数の非ゼロ電力ＣＳＩ−ＲＳリソースに対するＣＳＩを生成するステップであって、前記生成されたＣＳＩは１つまたは複数の周期的ＣＳＩ報告を含んでいる、ステップと、
報告インターバルの間に、前記ＷＴＲＵと通信をする１つまたは複数のノードへ、前記１つまたは複数の周期的ＣＳＩ報告を送信するステップであって、前記１つまたは複数の周期的ＣＳＩ報告は第１の周期および第１のサブフレームオフセットで送信されている、ステップと、
前記報告インターバルの間に、少なくとも１度、前記ＷＴＲＵと通信をする前記１つまたは複数のノードへ、前記複数の非ゼロ電力ＣＳＩ−ＲＳリソースの前記少なくとも１つのサブセットに対する前記第１のＣＲＩを送信するステップと
を備えることを特徴とする方法。
【請求項１４】
前記ＷＴＲＵの物理層よりもより上位の１つまたは複数の論理層からシグナリングを経由して、前記ＣＲＩ構成を受信するステップ
をさらに備えることを特徴とする請求項１３に記載の方法。
【請求項１５】
前記１つまたは複数の周期的ＣＳＩ報告のために指定されたサブフレームのセットの中で、前記１つまたは複数の周期的ＣＳＩ報告を送信するステップ
をさらに備えることを特徴とする請求項１３に記載の方法。
【請求項１６】
前記報告インターバルの間に、２回以上、前記第１のＣＲＩを送信するステップであって、前記第１のＣＲＩは対応する第２の周期および第２のサブフレームオフセットで送信される、ステップ
をさらに備えることを特徴とする請求項１３に記載の方法。
【請求項１７】
前記第１の周期は、前記第２の周期と同じであることを特徴とする請求項１６に記載の方法。
【請求項１８】
前記第１のサブフレームオフセットは、前記第２のサブフレームオフセットと同じであることを特徴とする請求項１６に記載の方法。
【請求項１９】
少なくとも１つのサブフレームにおいて、前記１つまたは複数の周期的ＣＳＩ報告を送信するステップと、
システムフレーム番号またはサブフレーム番号の少なくとも１つに少なくとも一部に基づいて、前記少なくとも１つのサブフレームを決定するステップと
をさらに備えることを特徴とする請求項１３に記載の方法。
【請求項２０】
前記少なくとも１つのサブセットの前記複数の非ゼロ電力ＣＳＩ−ＲＳリソースに対する参照信号受信電力（ＲＳＲＰ）または参照信号受信品質（ＲＳＲＱ）の少なくとも１つを測定するステップ
をさらに備えることを特徴とする請求項１３に記載の方法。
【請求項２１】
前記複数の非ゼロ電力ＣＳＩ−ＲＳリソースの前記少なくとも１つのサブセットに対する共通参照信号（ＣＲＳ）を測定するステップ
をさらに備えることを特徴とする請求項１３に記載の方法。
【請求項２２】
ＣＳＩ−ＲＳ構成を受信するステップであって、前記ＣＳＩ−ＲＳ構成は、前記複数の非ゼロ電力ＣＳＩ−ＲＳリソースのリスト、または前記複数の非ゼロ電力ＣＳＩ−ＲＳリソースの前記少なくとも１つのサブセットの表示の少なくとも１つを含む、ステップ
をさらに備えることを特徴とする請求項１３に記載の方法。
【請求項２３】
前記少なくとも１つのサブセットの前記複数の非ゼロ電力ＣＳＩ−ＲＳリソースを測定する前記ステップは、前記複数の非ゼロ電力ＣＳＩ−ＲＳリソースの前記少なくとも１つのサブセットの中にある少なくとも１つのＣＳＩ−ＲＳリソースの品質よりもより良好となっている前記複数の非ゼロ電力ＣＳＩ−ＲＳリソースの前記少なくとも１つのサブセットの中にはないＣＳＩ−ＲＳリソースの品質によってトリガされることを特徴とする請求項１３に記載の方法。
【請求項２４】
前記ＣＲＩは、ビットマップまたはインデックスの順序付きリストの少なくとも１つを含むことを特徴とする請求項１３に記載の方法。